(57)【要約】【課題】使用者の嗜好性に合わせた高品質で安定した芳香作用を有し、また、高効率で光触媒反応による消臭処理を行うことができる芳香消臭用品を提供することを目的とする。【解決手段】紫外線領域の波長を有する光によって活性化される光触媒がアルミノ珪酸塩に担持されてなる消臭剤と、リモネン、リリアール、ヘキシルシンナミックアルデヒド、ヘディオン、ガラキソリッドからなる香料素材の群の内、少なくとも何れか１種以上を含む光触媒用香料とを含有する芳香消臭剤１２が容器１１中に充填されてなる。【選択図】図１
2008086641.tif 000002
【特許請求の範囲】
【請求項１】
紫外線領域の波長を有する光によって活性化される光触媒がアルミノ珪酸塩に担持されてなる消臭剤と、リモネン、リリアール、ヘキシルシンナミックアルデヒド、ヘディオン、ガラキソリッドからなる香料素材の群の内、少なくとも何れか１種以上を含む光触媒用香料とを含有する芳香消臭剤が容器中に充填されてなることを特徴とする芳香消臭用品。
【請求項２】
前記芳香消臭剤が充填された前記容器に挿通され、該容器中に充填された前記芳香消臭剤を吸液する芯体と、該芯体によって吸液された芳香消臭剤を容器の外部に拡散させる揮散体とが備えられていることを特徴とする請求項１に記載の芳香消臭用品。
【請求項３】
前記芳香消臭剤には、前記光触媒用香料を担持させる香料担持体が含有されていることを特徴とする請求項１に記載の芳香消臭用品。
【請求項４】
前記芳香消臭剤が充填された前記容器の少なくとも一部に開口孔が設けられ、該開口孔に不織布が張設されてなることを特徴とする請求項３に記載の芳香消臭用品。
【請求項５】
前記香料担持体が、水性ゲル、及び／又は、油性ゲルであることを特徴とする請求項３又は４に記載の芳香消臭用品。
【請求項６】
前記香料担持体が、無機多孔質体、及び／又は、有機多孔質体であることを特徴とする請求項３又は４に記載の芳香消臭用品。
【請求項７】
さらに、前記芳香消臭剤を送風によって揮散させるファンが備えられていることを特徴とする請求項１〜６の何れか１項に記載の芳香消臭用品。
【請求項８】
紫外線領域の波長を有する光によって活性化される光触媒がアルミノ珪酸塩に担持された消臭剤が、紙、不織布、布、樹脂の群の内、少なくとも何れか１種以上を含む光触媒担持体に担持されてなる消臭体と、リモネン、リリアール、ヘキシルシンナミックアルデヒド、ヘディオン、ガラキソリッドからなる香料素材の群の内、少なくとも何れか１種以上を含む光触媒用香料が充填された容器とからなることを特徴とする芳香消臭用品。
【請求項９】
前記光触媒用香料が充填された前記容器に挿通され、該容器中に充填された前記光触媒用香料を吸液する芯体と、該芯体によって吸液された光触媒用香料を容器の外部に拡散させる揮散体とが備えられていることを特徴とする請求項８に記載の芳香消臭用品。
【請求項１０】
前記光触媒用香料が、香料担持体に担持されて前記容器に充填されていることを特徴とする請求項８に記載の芳香消臭用品。
【請求項１１】
前記香料担持体に担持された光触媒用香料が充填された前記容器の少なくとも一部に開口孔が設けられ、該開口孔に不織布が張設されてなることを特徴とする請求項１０に記載の芳香消臭用品。
【請求項１２】
前記香料担持体が、水性ゲル、及び／又は、油性ゲルであることを特徴とする請求項１０又は１１に記載の芳香消臭用品。
【請求項１３】
前記香料担持体が、無機多孔質体、及び／又は、有機多孔質体であることを特徴とする請求項１０又は１１に記載の芳香消臭用品。
【請求項１４】
さらに、前記消臭剤及び／又は前記光触媒用香料を、送風によって揮散させるファンが備えられていることを特徴とする請求項８〜１３の何れか１項に記載の芳香消臭用品。
【請求項１５】
請求項１に記載の芳香消臭剤がエアゾール容器に充填されてなることを特徴とする芳香消臭用品。
【請求項１６】
前記光触媒用香料中における前記香料素材の総和が２０〜６０％の範囲とされていることを特徴とする請求項１〜１５の何れか１項に記載の芳香消臭用品。
【請求項１７】
前記光触媒用香料中における前記香料素材の総和が３０〜５０％の範囲とされていることを特徴とする請求項１〜１５の何れか１項に記載の芳香消臭用品。
【請求項１８】
前記光触媒が、Ｓｅ、Ｇｅ、Ｓｉ、Ｔｉ、Ｚｎ、Ｃｕ、Ａｌ、Ｓｎ、Ｇａ、Ｉｎ、Ｐ、Ａｓ、Ｓｂ、Ｃ、Ｃｄ、Ｓ、Ｔｅ、Ｎｉ、Ｆｅ、Ｃｏ、Ａｇ、Ｍｏ、Ｓｒ、Ｗ、Ｃｒ、Ｂａ、及びＰｂ等の酸化物であるとともに、水に不溶であることを特徴とする請求項１〜１７の何れか１項に記載の芳香消臭用品。
【請求項１９】
前記光触媒が、酸化チタン、酸化亜鉛、及び酸化タングステンから選ばれる少なくとも１種からなることを特徴とする請求項１８に記載の芳香消臭用品。
【発明の詳細な説明】
【技術分野】
【０００１】
本発明は、光触媒による酸化、分解作用を利用して、悪臭物質を含む空気を消臭するとともに、芳香作用を有する芳香消臭用品に関する。
【背景技術】
【０００２】
近年、衛生意識の高まりや気密性の高い住宅の普及等によって、消費者の悪臭に対する意識が高くなり、また、悪臭に対する敏感さがより一層高まる傾向にある。
従来、消臭手段のひとつとして、強い芳香によって使用者の嗅覚を刺激し、悪臭を感じにくくさせる、マスキングと呼ばれる方法が広く用いられてきた。しかしながら、マスキングは悪臭を除去する方法では無いため、使用開始からの時間が経つにつれて香料成分等による香りが弱まった際に消臭効果が低下するという問題があった。
【０００３】
また、近年の研究では、人が悪臭を感じなくなった場合でも、悪臭を嗅がせることによって、リラックス状態を表す脳波の１つであるα波が低下することが明らかとなっている。このため、悪臭を芳香によってマスキングするだけでなく、悪臭成分を完全に除去する必要性が高まっていることから、光触媒効果を用いて消臭処理を行う方法が注目されている。
【０００４】
しかしながら、酸化チタン等の光触媒を消臭基材として用いた場合、光触媒効果による消臭作用は得られるものの、使用者自身が実感できるような消臭効果感が得られにくいという問題があった。このため、使用者の嗜好に合わせた香料成分を用いることによる芳香効果も併用する方法が行なわれていたが、この方法では、悪臭成分とともに香料成分も光触媒に吸着、分解されてしまい、香質のバランスを大きく崩し、常時一定の香質を提供するのは困難であった。
【０００５】
上述のような問題を解決するため、酸化チタンからなる光触媒を適宜遮光することによって光触媒反応を抑制するとともに、シクロデキストリンに香料成分を包接した組成物を用いた芳香消臭用品が提案されている（例えば、特許文献１）。
しかしながら、特許文献１に記載の芳香消臭用品では、光触媒反応が充分に作用しない虞があるとともに、組成物の分散安定性が低下して組成上の制約が生じ、また、消臭に要するコストが上昇してしまうという問題があった。
【特許文献１】特開２００５−２４５７６６号公報
【発明の開示】
【発明が解決しようとする課題】
【０００６】
本発明は、上記事情に鑑みてなされたものであり、使用者の嗜好性に合わせた高品質で安定した芳香作用を有し、また、高効率で光触媒反応による消臭処理を行うことができる芳香消臭用品を提供することを目的とする。
【課題を解決するための手段】
【０００７】
本発明者等が、上記課題を解決するために鋭意検討したところ、香料成分として、光触媒と併用した場合であっても安定した芳香作用を有する光触媒用香料成分を用いるとともに、紫外線領域の波長を有する光によって活性化される光触媒を消臭成分に用いる構成とすることにより、優れた消臭効果と高品質な芳香効果とを両立することができることを見出し、本発明を完成した。
【０００８】
本発明は、紫外線領域の波長を有する光によって活性化される光触媒がアルミノ珪酸塩に担持されてなる消臭剤と、リモネン、リリアール、ヘキシルシンナミックアルデヒド、ヘディオン、ガラキソリッドからなる香料素材の群の内、少なくとも何れか１種以上を含む光触媒用香料とを含有する芳香消臭剤が容器中に充填されてなることを特徴とする芳香消臭用品を提供する。
本発明の芳香消臭用品は、前記芳香消臭剤が充填された前記容器に挿通され、該容器中に充填された前記芳香消臭剤を吸液する芯体と、該芯体によって吸液された芳香消臭剤を容器の外部に拡散させる揮散体とが備えられた構成とすることができる。
【０００９】
また、本発明の芳香消臭用品は、前記芳香消臭剤には、前記光触媒用香料を担持させる香料担持体が含有された構成とすることができる。
また、本発明の芳香消臭用品は、前記芳香消臭剤が充填された前記容器の少なくとも一部に開口孔が設けられ、該開口孔に不織布が張設された構成とすることができる。
また、本発明の芳香消臭用品は、前記香料担持体が、水性ゲル、及び／又は、油性ゲルである構成とすることができる。
また、本発明の芳香消臭用品は、前記香料担持体が、無機多孔質体、及び／又は、有機多孔質体である構成とすることができる。
また、本発明の芳香消臭用品は、さらに、前記芳香消臭剤を送風によって揮散させるファンが備えられた構成とすることができる。
【００１０】
本発明は、紫外線領域の波長を有する光によって活性化される光触媒がアルミノ珪酸塩に担持された消臭剤が、紙、不織布、布、樹脂の群の内、少なくとも何れか１種以上を含む光触媒担持体に担持されてなる消臭体と、リモネン、リリアール、ヘキシルシンナミックアルデヒド、ヘディオン、ガラキソリッドからなる香料素材の群の内、少なくとも何れか１種以上を含む光触媒用香料が充填された容器とからなることを特徴とする芳香消臭用品を提供する。
本発明の芳香消臭用品は、前記光触媒用香料が充填された前記容器に挿通され、該容器中に充填された前記光触媒用香料を吸液する芯体と、該芯体によって吸液された光触媒用香料を容器の外部に拡散させる揮散体とが備えられた構成とすることができる。
【００１１】
また、本発明の芳香消臭用品は、前記光触媒用香料が、香料担持体に担持されて前記容器に充填された構成とすることができる。
また、本発明の芳香消臭用品は、前記香料担持体に担持された光触媒用香料が充填された前記容器の少なくとも一部に開口孔が設けられ、該開口孔に不織布が張設されてなる構成とすることができる。
また、本発明の芳香消臭用品は、前記香料担持体が、水性ゲル、及び／又は、油性ゲルである構成とすることができる。
また、本発明の芳香消臭用品は、前記香料担持体が、無機多孔質体、及び／又は、有機多孔質体である構成とすることができる。
また、本発明の芳香消臭用品は、さらに、前記消臭剤及び／又は前記光触媒用香料を、送風によって揮散させるファンが備えられた構成とすることができる。
【００１２】
本発明は、前記芳香消臭剤がエアゾール容器に充填されてなることを特徴とする芳香消臭用品を提供する。
【００１３】
また、本発明の芳香消臭用品は、前記光触媒用香料中における前記香料素材の総和が２０〜６０％の範囲とされていることが好ましく、３０〜５０％の範囲とされていることがより好ましい。
また、本発明の芳香消臭用品は、前記光触媒が、Ｓｅ、Ｇｅ、Ｓｉ、Ｔｉ、Ｚｎ、Ｃｕ、Ａｌ、Ｓｎ、Ｇａ、Ｉｎ、Ｐ、Ａｓ、Ｓｂ、Ｃ、Ｃｄ、Ｓ、Ｔｅ、Ｎｉ、Ｆｅ、Ｃｏ、Ａｇ、Ｍｏ、Ｓｒ、Ｗ、Ｃｒ、Ｂａ、及びＰｂ等の酸化物であるとともに、水に不溶であるものから構成されていることが好ましい。
また、本発明の芳香消臭用品は、前記光触媒が、酸化チタン、酸化亜鉛、及び酸化タングステンから選ばれる少なくとも１種からなる構成とされていることがより好ましい。
【発明の効果】
【００１４】
本発明の芳香消臭剤及び芳香消臭用品によれば、上記構成のように、光触媒と併用した場合であっても安定した芳香作用を有する光触媒用香料成分を用いるとともに、紫外線領域の波長を有する光によって活性化される光触媒を消臭成分に用いる構成とすることにより、優れた消臭効果と高品質な芳香効果とを両立することができる。
これにより、使用者の嗜好性に合わせた高品質で安定した芳香作用を有し、また、高効率で光触媒反応による消臭処理を行うことができる芳香消臭用品を、簡便で安価な構成で実現することができる。
【発明を実施するための最良の形態】
【００１５】
以下、本発明に係る芳香消臭用品の実施の形態について、図１〜８を適宜参照しながら詳細に説明する。
【００１６】
［第１の実施形態］
本発明の芳香消臭用品の第１の実施形態について、以下に説明する。
本実施形態の芳香消臭用品１は、図１に示すように、紫外線領域の波長を有する光によって活性化される光触媒がアルミノ珪酸塩に担持されてなる消臭剤と、リモネン、リリアール、ヘキシルシンナミックアルデヒド、ヘディオン、ガラキソリッドからなる香料素材の群の内、少なくとも何れか１種以上を含む光触媒用香料とを含有する芳香消臭剤１２が容器１１中に充填され、概略構成されている。
また、本実施形態の芳香消臭用品１は、芳香消臭剤１２が充填された容器１１に挿通され、該容器１１中に充填された芳香消臭剤１２を吸液する芯体１３と、該芯体１３によって吸液された芳香消臭剤１２を容器１１の外部に拡散させる揮散体１４とが備えられた構成とされている。
本実施形態の芳香消臭用品１は、上記構成により、芳香消臭剤１２が揮散体１４から空気中に拡散され、空気中に存在する悪臭成分を除去することができる。
【００１７】
容器１１は、上述したように、詳細を後述する芳香消臭剤１２が充填される容器であり、図１に示す例では、有底角筒状に形成されている。
本実施形態の容器１１は、その上部に、詳細を後述する芯体１３を挿通するための孔部１１ａが設けられているとともに、揮散体１４を容器１１に支持するためのキャップ１５が取り付けられる嵌合部１１ｂが設けられている。
容器１１に用いられる材料としては、上記各成分によって変質することの無い材料であれば特に限定されず、樹脂や金属材料等、適宜選択して用いることができる。
【００１８】
芯体１３は、上述したように、容器１１中に充填された芳香消臭剤１２を吸液し、芳香消臭剤１２を後述の揮散体１４に導くものであり、図１に示す例では、長寸の棒状に形成されている。また、芯体１３は、容器１１の上部に設けられた孔部１１ａに挿通されており、上端１３ａが孔部１１ａから露出するとともに、少なくとも下端１３ｂが容器１１内に充填された芳香消臭剤１２に浸されている。また、芯体１３の上端１３ａは、後述の揮散体１４に接続されている。
芯体１３に用いられる材質としては、液体が吸い上げられる構造とすることが可能なものであれば特に限定されず、通常、芳香剤等の吸液に用いられる材料を採用することができ、例えば、フェルトやパルプ等を用いることができる。
【００１９】
揮散体１４は、容器１１の上部に取り付けられ、上述したように、芯体１３の上端１３ａに接続されて設けられるものであり、図１に示す例では、正面視長方形の平板状に構成されている。また、図示例では、揮散体１４は、キャップ１５によって支持され、容器１１の上部に取り付けられている。
揮散体１４に用いられる材質としては、液体を揮散できる構造とすることが可能なものであれば特に限定されず、通常、芳香剤等の揮散に用いられる材料を採用することができ、例えば、フェルトやパルプ等を用いることができる。
【００２０】
キャップ１５は、容器１１の嵌合部１１ｂに取り付けられるキャップであり、上述したように、揮散体１４を容器１１の上部に支持するものである。
また、図１に示す例のキャップ１５は、表面に複数のスリット１５ａが形成され、揮散体１４から揮散される芳香消臭剤１２が、スリット１５ａを通過して空気中に揮散されるように構成されている。また、本実施形態のキャップ１５は、揮散体１４の保護部材としても機能する。
キャップ１５に用いられる材質としては、特に限定されず、通常、ボトル用のキャップとして用いられる樹脂材料等を適宜選択して用いることができる。
【００２１】
＜芳香消臭剤＞
本実施形態の芳香消臭剤１２は、上述したように、紫外線領域の波長を有する光によって活性化される光触媒がアルミノ珪酸塩に担持されてなる消臭剤と、リモネン、リリアール、ヘキシルシンナミックアルデヒド、ヘディオン、ガラキソリッドからなる香料素材の群の内、少なくとも何れか１種以上を含む光触媒用香料とからなる。
【００２２】
（消臭剤）
本実施形態の消臭剤に用いられる光触媒としては、Ｓｅ、Ｇｅ、Ｓｉ、Ｔｉ、Ｚｎ、Ｃｕ、Ａｌ、Ｓｎ、Ｇａ、Ｉｎ、Ｐ、Ａｓ、Ｓｂ、Ｃ、Ｃｄ、Ｓ、Ｔｅ、Ｎｉ、Ｆｅ、Ｃｏ、Ａｇ、Ｍｏ、Ｓｒ、Ｗ、Ｃｒ、Ｂａ、及びＰｂ等の酸化物であるとともに、水に不溶なものが挙げられる。
また、本実施形態で用いられる光触媒としては、触媒活性の程度から、酸化チタン、酸化亜鉛、及び酸化タングステンから選ばれる少なくとも１種からなる構成とすることができる。また、上述の光触媒の内、紫外線光が照射された場合に高効率で活性化し、光触媒反応による高い消臭作用を得ることが可能な酸化チタンを用いることが特に好ましい。
【００２３】
なお、本実施形態では、近年、半導体分野におけるドーピング方法として用いられているイオン注入法を応用し、特定の金属イオン、例えば、Ｃｒ及びＶをシリカ−チタニア複合酸化物に導入させることによって得られる可視光型光触媒を用いることも可能である。ここで、可視光型光触媒とは、可視光領域（約４００ｎｍ〜８００ｎｍ）の光を吸収し、可視光の照射下において、常温下での窒素酸化物の分解に高い活性を示す光触媒のことを言う。
【００２４】
本実施形態で用いられる光触媒の微粒子の一次粒子径は０．００１〜０．３μｍの範囲であることが好ましく、０．００３〜０．２μｍの範囲であることがより好ましい。光触媒の微粒子の一次粒子径が０．３μｍを超えると、光触媒としての機能が発揮できなくなる虞がある。
光触媒は、紫外線が照射されることにより、その表面で電子と正孔とが分離し、この正孔が、周囲の水、酸素等から強力な酸化作用を有する活性酸素を生成させる。そして、この活性酸素が、悪臭成分等の有機物を酸化分解する作用を有する。
【００２５】
上述の光触媒は、アルミノ珪酸塩（ゼオライト）粒子に光触媒の微粒子を含有させた粒子を高分子固体に含有させた構成とすることができる。光触媒をアルミノ珪酸塩粒子に含有させて用いる場合、アルミノ珪酸塩は、鎖状、網状等の何れの構造を有していても構わないが、層状構造を有し、この層状構造の層間に光触媒微粒子が担持されていることが好ましい。具体的には、アルミノ珪酸塩として、いわゆるフィロ珪酸塩構造を有する層状アルミノ珪酸塩（アルミニウム含有フィロ珪酸塩）を用いることが好ましく、フィロ珪酸塩構造を有する層に八面体構造金属酸化物層が積層されてなる複合化アルミノ珪酸塩（アルミニウム含有複合フィロ珪酸塩）を用いることがより好ましい。
【００２６】
上述のアルミニウム含有複合フィロ珪酸塩は、基本構造として、ＳｉＯ４を基本とする四面体構造層と、ＭＯ６（Ｍは亜鉛、銅、銀、コバルト、ニッケル、鉄、チタン、バリウム、スズ及びジルコニウムの群から選ばれる少なくとも一種の金属：以下同様）を基本とする八面体構造層とが、酸素原子を共有する形で積層された粘土鉱物型の二層構造を有している。なお、このアルミニウム含有複合フィロ珪酸塩は、通常、四面体構造層ＳｉＯ４の一部のＳｉがＡｌにより置換されてなり、八面体構造層ＭＯ６の一部のＡｌによって置換される。アルミノ珪酸塩が層状構造を有することにより、層状アルミノ珪酸塩が積層して形成される層間に、光触媒の微粒子が安定して担持され得る。
【００２７】
なお、アルミノ珪酸塩粒子に光触媒の微粒子を含有させる場合、アルミノ珪酸塩が、実質的に、ＳｉＯ２：５〜８０％（ｍｏｌ％：以下同様）、ＭＯｎ／２：５〜６５％（Ｍの元素は上記同様）、及びＡｌ２Ｏ３：１〜６０％の組成を含有することが好ましく、ＳｉＯ２：１０〜７０％、ＭＯｎ／２：１０〜６０％、及びＡｌ２Ｏ３：１〜５０％の組成を含有することがより好ましい。なお、化学式中のＭについては、上述したように、亜鉛、銅、銀、コバルト、ニッケル、鉄、チタン、バリウム、スズ、及びジルコニウムの群から選ばれる少なくとも一種の金属であるが、これらの中でも亜鉛が好ましい。
【００２８】
また、前記アルミノ珪酸塩は、白色或いは単色の粉体として得られ、上記組成物比に相当する量の水溶性珪酸塩、水溶性金属塩、更に水溶性アルミニウム塩、及び／又は、水溶性アルミン酸塩を、水の存在下で反応させ、更に必要に応じて、得られる沈殿を、水の存在下で加熱することにより製造される。前記アルミノ珪酸塩の粉体の粒子径は０．０１〜３０μｍが好ましく、０．０３〜１０μｍがより好ましく、０．０５〜５μｍであることが最も好ましい。前記アルミノ珪酸塩の粉体の粒子径が０．０１μｍ未満だと、粒子が細かすぎるため、実用上、粉体を取り扱う際のハンドリング性に問題がある。また、アルミノ珪酸塩の粉体の粒子径が３０μｍを超えると、フィルムや塗料等に加工して用いる場合に、粒子によるブツが発生し、外観を損なう虞がある。
【００２９】
本実施形態では、前記アルミノ珪酸塩粒子を、例えば、アルミノ珪酸塩と水からなる懸濁液から製造することができ、必要に応じて、さらに界面活性剤を配合しても良い。このような懸濁液中の各成分の混合比は、水：アルミノ珪酸塩＝１００：１〜１：３であることが好ましく（さらに好ましくは、水：アルミノ珪酸塩＝１００：１〜１：１）、アルミノ珪酸塩：界面活性剤＝１００：０〜１：１０であることが好ましい（さらに好ましくは、アルミノ珪酸塩：界面活性剤＝１００：０〜１：３）。また、懸濁液のｐＨは、特に制限はないが、効率よく光触媒を担持させるため、必要に応じて、アンモニア水や塩酸等を添加することによってｐＨを調整しても構わない。
【００３０】
本実施形態では、上述のような懸濁液を攪拌しながら光触媒微粒子を添加するで、光触媒微粒子が含有されたアルミノ珪酸塩粒子が得られる。この際、添加する光触媒の微粒子の状態は、微粉状であってもスラリー状であってもよい。光触媒の微粒子の添加量は、添加後に得られる、光触媒微粒子を含有したアルミノ珪酸塩粒子中の光触媒微粒子含有率が０．０１〜７０質量％、好ましくは０．０２〜５０質量％、さらに好ましくは０．１〜５０質量％、特に好ましくは０．２〜３０質量％に相当する量である。光触媒の微粒子の含有率が０．０１質量％未満だと、光触媒本来の性能が充分に発現されない。一方、光触媒の微粒子の含有率が７０質量％超となると、光触媒の性能は発現されるものの、アルミノ珪酸塩中に含有されない余剰の光触媒が生じ、この余剰の光触媒が樹脂等と複合化することにより、紫外線を照射した際に樹脂等を劣化させる虞がある。
【００３１】
上述のような、懸濁液と、微粉状、スラリー状等の形態を有する光触媒の微粒子との混合は、一般的には常温、常圧の条件下で行われるが、必要に応じて、加圧下や減圧下、または加熱下や冷却下で実施してもよい。混合時間としては、特に制限はないが、３０分程度の混合時間で充分である。
上述のようにして得られる、光触媒の微粒子を含有したアルミノ珪酸塩は、遠心分離や濾過等の固体分離操作によって分離、回収することができる。このようにして回収された粒子は、そのまま乾燥して製品とすることができ、また、水やアルコール等の洗浄液で１回から数回洗浄した後、乾燥処理や加熱処理を実施してから製品とすることもできる。
【００３２】
また、界面活性剤については、上述したように、光触媒をアルミノ珪酸塩粒子に含有させる際に使用しても、或いは使用しなくても、どちらでも良いが、効率良く含有させるためには界面活性剤を使用することが好ましい。この場合に用いる界面活性剤としては、カチオン界面活性剤、アニオン界面活性剤、ノニオン界面活性剤、両性界面活性剤等を用いることができ、特に制限はないが、カチオン界面活性剤を用いるが好ましく、下記一般式（１）で表されるカチオン界面活性剤を用いることがより好ましい。
【００３３】
【化１】
2008086641.tif 000003
【００３４】
ただし、一般式（１）中、Ｘ−はハロゲン化物イオン、水酸化物イオン、または有機酸陰イオンであり、Ｒ１は、炭素数８〜２２の直鎖状もしくは分岐鎖状の飽和または不飽和脂肪族炭化水素基であり、Ｒ２、Ｒ３およびＲ４は、それぞれ、Ｒ１、メチル基、エチル基または下記一般式（２）で表される有機基である。なお、Ｒ２〜Ｒ４は、それぞれの基が同一であっても異なっていてもよい。
【００３５】
【化２】
2008086641.tif 000004
【００３６】
ただし、一般式（２）中、ｍは１〜５の整数であり、Ｙは水素またはメチル基である。
用い得る界面活性剤として、さらに具体的には、ラウリルトリメチルアンモニウムクロライド、ミリストイルトリメチルアンモニウムクロライド、パルミチルトリメチルアンモニウムクロライド、ステアリルトリメチルアンモニウムクロライド、オレイルトリメチルアンモニウムクロライド、エルシルトリメチルアンモニウムクロライド、ポリオキシエチレンミリストイルアンモニウムクロライド、ポリオキシエチレンパルミチルアンモニウムクロライド、ポリオキシエチレンオレイルアンモニウムクロライド、ポリオキシエチレンステアリルアンモニウムクロライド等が挙げられる。これらの界面活性剤は、２種以上を混合して用いても良いし、また、水溶液或いはアルコール溶液として用いても良い。
【００３７】
（光触媒用香料）
本実施形態の光触媒用香料は、上述したように、リモネン、リリアール、ヘキシルシンナミックアルデヒド、ヘディオン、ガラキソリッドからなる香料素材の群の内、少なくとも何れか１種以上を含む構成とされている。
【００３８】
本発明者等が鋭意研究、検討したところ、上記香料素材は、光触媒と併用した場合にも、安定した芳香作用を有する効果があることが知見され、これらの香料素材を含む光触媒用香料と、上述したような紫外線領域の波長を有する光によって活性化される光触媒が含有される消臭剤とから芳香消臭剤を構成することにより、優れた消臭効果と高品質な芳香効果とを併せ持つ芳香消臭剤が得られることが明らかとなった。
【００３９】
本実施形態の芳香剤は、前記光触媒用香料中における前記香料素材の総和が２０〜６０％の範囲であることが好ましく、３０〜５０％の範囲であることがより好ましい。前記光触媒用香料中における前記香料素材の総和がこの範囲であれば、上述の優れた効果が確実に得られる。
【００４０】
本実施形態の芳香消臭用品１は、上述したように、芳香消臭剤１２が、揮散体１４からキャップ１５のスリット１５ａを通過して空気中に揮散され、空気中に存在する悪臭成分を除去しながら、芳香処理を行うことができる。なお、キャップ１５は、例えば、容器１１に揮散体１４を支持できる支持部を設けた構成とすれば、必ずしも備えられている必要は無い。しかしながら、本実施形態の芳香消臭用品１は、キャップ１５が揮散体１４の保護部材として機能することにより、例えば、使用者が揮散体１４に誤って触れたりすることを防止することが可能となる。
【００４１】
また、本実施形態の芳香消臭用品を、例えば、図５（ａ）、（ｂ）の斜視図に示すような、略直方体のコンパクトな形状に構成され、任意の位置に図示略の通風スリットが設けられた筐体７０、７１に収容して使用することもできる。この場合、芳香消臭用品の形状を、例えば、図示例のような箱状とし、脱着による交換が可能なカートリッジ式の芳香消臭用品７として構成することができ、図５（ａ）に示すように筐体７０の側面から挿入するか、又は図５（ｂ）に示すように、筐体７１の上面から挿入することにより、筐体内に収容することが可能である。
上述のような構成とした場合には、芳香消臭用品が収容された筐体を、例えば机上やタンス上等、室内の任意の場所に設置して消臭処理を行った際に室内の美観を損ねることがなく、また、設置に要する場所をとらず、使用性が非常に高いものとなる。
【００４２】
また、図５（ｃ）に示すように、本実施形態の芳香消臭用品を筒状の芳香消臭用品８とし、筐体８０の底面からカートリッジ式に脱着可能な構成として、台座８０ａ上に載置した状態で筐体８０内に収容して使用することもできる。また、図５（ｄ）に示すように、方向消臭用品８を台座８１ａ上に戴置し、台座８１をスライドさせることによって筐体８１の側面から内部に収容する構成とすることも可能である。
【００４３】
また、上述のような筐体には、該筐体外部への芳香消臭成分の拡散や、筐体内への外気の取り込み等のための吸排気口を、例えばスリット状で形成することが好ましい。
また、本実施形態の芳香消臭用品は、上述したように、机上やタンス上等の任意の場所に設置し、特に室内における消臭処理に用いられることから、図５（ａ）〜（ｄ）に示す各例の筐体は、略直方体のコンパクトな形状に構成されているが、これには限定されない。例えば、筐体の形状を、円筒形等の他の形状としても良く、また、各種デザインを施した脱着可能なカバー等を用い、芳香消臭用品が収容された筐体を設置する場所の雰囲気等に合わせるように交換可能な構成としても良い。
【００４４】
本実施形態の芳香消臭用品１は、上述したような、光触媒を含む消臭剤と、光触媒と併用した場合にも安定した芳香作用を有する香料素材からなる芳香剤とを含有した芳香消臭剤を用いることにより、使用者の嗜好性に合わせた高品質で安定した芳香作用を有し、また、高効率で光触媒反応による消臭処理を行うことが可能となる。これにより、優れた消臭効果と高品質な芳香効果とを併せ持つ芳香消臭用品が得られる。
本実施形態の芳香消臭用品１は、例えば、室内や冷蔵庫、靴箱等の消臭したい場所に設置することによって芳香処理を行うことができ、芳香消臭効果に優れるとともに、手軽に消臭処理を行うことが可能となる。
【００４５】
［第２の実施形態］
以下、本発明の芳香消臭用品の第２の実施形態について説明する。なお、以下の説明において、第１の実施形態の芳香消臭用品１と共通する点については、その詳しい説明を省略する。
【００４６】
本実施形態の芳香消臭用品２は、図２に示すように、紫外線領域の波長を有する光によって活性化される光触媒がアルミノ珪酸塩に担持されてなる消臭剤と、リモネン、リリアール、ヘキシルシンナミックアルデヒド、ヘディオン、ガラキソリッドからなる香料素材の群の内、少なくとも何れか１種以上を含む光触媒用香料とを含有する芳香消臭剤２２が容器２１中に充填され、芳香消臭剤２２に光触媒用香料を担持させる香料担持体が含有され、概略構成されている。
本実施形態の芳香消臭用品２は、上記構成により、芳香消臭剤２２が容器２１内から空気中に拡散され、空気中に存在する悪臭成分を除去することができる。
【００４７】
本実施形態の芳香消臭用品２は、上述したように、容器２１中に充填された芳香消臭剤２２が、前記光触媒用香料を担持させる香料担持体が含有されている点で、第１の実施形態の芳香消臭用品１とは異なる。
また、図２に示す芳香消臭用品２は、芳香消臭剤２２が充填された容器２１の上面２１ａに、スリット状の開口孔２１ｂが形成されているとともに、開口孔２１ｂを容器２１内部から覆うようにして不織布２３が張設されている。
【００４８】
本実施形態では、上記光触媒用香料が担持される香料担持体しては、特に限定されないが、水性ゲル、及び／又は、油性ゲルからなる構成とすることができる。また、光触媒用香料が担持される香料担持体が、無機多孔質体、及び／又は、有機多孔質体からなる構成とすることもできる。
本実施形態の芳香消臭剤２２は、上述のように、光触媒用香料が担持される香料担持体が含有された構成なので、第１の実施形態の芳香消臭用品１に用いられる芳香消臭剤１２が液状であるのに対し、図２に示す例では粒状となっている。
【００４９】
本実施形態の芳香消臭用品２は、上記構成により、容器２１に充填された粒状の芳香消臭剤２２から、開口孔２１ｂ及び不織布２３を通過して前記消臭剤及び光触媒用香料の成分が容器２１外に揮散することにより、第１の実施形態の芳香消臭用品１と同様に、空気中に存在する悪臭成分を除去しながら、芳香処理を行うことができる。
そして、芳香消臭剤２２は、前記消臭剤及び光触媒用香料の成分が揮散して含有量が減少するとともに、外径が縮小する。
【００５０】
なお、本実施形態の芳香消臭用品２をカートリッジ状に構成し、第１の実施形態で説明した芳香消臭用品と同様、図５に示すような筐体に収容して使用することも可能である。この場合、上述したように、室内の任意の場所に設置して消臭処理を行った際に室内の美観を損ねることがなく、また、設置に要する場所をとらず、使用性が非常に高いものとなる。
【００５１】
また、図２に示す例では、香料担持体が含有されてなる芳香消臭剤２２が粒状に構成されているが、これには限定されず、例えば、直方形の固形剤として構成しても良い。
また、本実施形態では、容器２１に形成された開口孔２１ｂを内部から覆うようにして不織布２３が張設されているが、この不織布２３を省略した構成とすることもできる。この場合には、開口孔２１ｂを目の細かなスリット群として形成すれば、容器２１内に収容された芳香消臭剤２２に使用者の手が触れるのを防止することができる。
【００５２】
［第３の実施形態］
以下、本発明の芳香消臭用品の第２の実施形態について説明する。
本実施形態の芳香消臭用品３は、図３（ａ）、（ｂ）に示すように、紫外線領域の波長を有する光によって活性化される光触媒がアルミノ珪酸塩に担持された消臭剤が、紙、不織布、布、樹脂の群の内、少なくとも何れか１種以上を含む光触媒担持体に担持されてなる消臭体３６と、リモネン、リリアール、ヘキシルシンナミックアルデヒド、ヘディオン、ガラキソリッドからなる香料素材の群の内、少なくとも何れか１種以上を含む光触媒用香料３２が充填された容器３１とからなり、概略構成されている。
また、本実施形態の芳香消臭用品３は、光触媒用香料３２が充填された容器３１に挿通され、該容器３１中に充填された光触媒用香料３２を吸液する芯体３３と、該芯体３３によって吸液された光触媒用香料３２を容器３１の外部に拡散させる揮散体３４とが備えられている。また、図３（ａ）、（ｂ）に示す例では、第１の実施形態の芳香消臭用品１と同様、容器３１の上部にキャップ３５が取り付けられている。
本実施形態の芳香消臭用品３は、消臭剤が光触媒担持体に担持された消臭体３６が備えられており、容器３１に光触媒用香料３２のみが充填されている点で、第１〜２の実施形態の芳香消臭用品１及び２と異なる。
【００５３】
容器３１は有底各筒状に構成されており、上述したように、光触媒用香料３２が充填される。  
容器３１に充填された光触媒用香料３２は、第１の実施形態の芳香消臭剤１２と同様、芯体３３によって上端３３ａから揮散体３４に導かれ、該揮散体３４から空気中に揮散される。
【００５４】
本実施形態の消臭体３６は、光触媒担持体に用いられる材質としては特に限定されないが、上述したように、紙、不織布、布、樹脂の群の内、少なくとも何れか１種以上を含む光触媒担持体に、上述の消臭剤が担持されてなり、図３（ａ）、（ｂ）に示す例では平板状に構成されている。本実施形態では、例えば、光触媒担持体を平板状に構成し、その一面側に、上述の消臭剤を塗布、浸透、或いは積層することにより、図３（ａ）、（ｂ）に示すような平板状の消臭体３６を形成することができる。
【００５５】
消臭体３６は、上記構成により、空気中に消臭剤成分を揮散させることができる。また、図示例の消臭体３６は、その上部（図３（ｂ）の上方向）がキャップ３５によって支持され、下部が容器３１の嵌合部３１ｂによって支持されている。
また、消臭体３６は、アルミノ珪酸塩（ゼオライト）や活性炭等、多孔質で悪臭成分分子を吸着する機構を有する物質、及び、酸化チタンや酸化亜鉛、酸化タングステン等の、光触媒能によって悪臭成分分子を分解する機構をもつ物質の、それぞれ両方の機構並びに作用を有したものであることがより好ましい。
【００５６】
光触媒の微粒子が含有されたアルミノ珪酸塩粒子を樹脂に担持させる場合、樹脂としては、例えば、ポリスチレン樹脂、ポリプロピレン樹脂、ポリエチレン樹脂、アクリル樹脂、ＡＢＳ樹脂、ＡＳ樹脂、ＭＳ樹脂、ポリカーボネート樹脂、ポリエチレンテレフタレート樹脂等を用いることができる。この際の、光触媒の微粒子が含有されたアルミノ珪酸塩粒子の添加量としては、上記樹脂に対して０．１〜３０質量％の範囲で添加することが好ましく、さらに好ましくは１〜２５質量％の範囲である。
樹脂に、光触媒の微粒子が含有されたアルミノ珪酸塩粒子を担持させる方法としては、特に限定されないが、例えば、樹脂として樹脂フィルムを用いる場合には、以下に説明するような方法で行なうことができる。この場合、まず、樹脂と、光触媒の微粒子が含有されたアルミノ珪酸塩粒子とを混合し、２軸同方向押出機等を用いて混練することにより、コンパウンドを作製する。そして、インフレーション装置などを用いて、上述のコンパウンドを、適当な厚さを有するフィルムに加工することにより、消臭体として得ることができる。
【００５７】
また、光触媒の微粒子が含有されたアルミノ珪酸塩粒子を不織布に担持させる場合、不織布としては、例えば、レーヨン、ポリプロピレン、ナイロン、ポリエステル等からなる不織布が挙げられる。また、光触媒の微粒子が含有されたアルミノ珪酸塩粒子を不織布に含有させる際に用いるバインダーとしては、特に限定されないが、アクリル系、ラテックス系のバインダーを用いることができる。
不織布に、光触媒の微粒子が含有されたアルミノ珪酸塩粒子を担持させる方法としては、該光触媒微粒子含有アルミノ珪酸塩粒子と、バインダーと、水とからなる塗布剤に、不織布を浸漬する方法で行なうことができる。この際、前記塗布剤のバインダー及び光触媒微粒子含有アルミノ珪酸塩粒子を含む固形分中には、前記光触媒微粒子含有アルミノ珪酸塩粒子が３〜９０質量％の範囲で含有されていることが好ましい。
【００５８】
また、光触媒の微粒子が含有されたアルミノ珪酸塩粒子を紙に担持させる場合、紙としては、例えば、綿、リンター、竹、バガス、葦、わら、こうぞ、針葉樹、広葉樹等から得られる繊維等を用いることができる。
紙に、光触媒の微粒子が含有されたアルミノ珪酸塩粒子を担持させる方法としては、特に限定されないが、以下に説明するような方法で行なうことができる。まず、水に、パルプ、及び光触媒微粒子含有アルミノ珪酸塩粒子を混合する。この際の光触媒微粒子含有アルミノ珪酸塩粒子の割合は、紙に対して１〜４０質量％の範囲であることが好ましい。そして、上述の混合スラリーを、スクリーン抄紙機を用いて抄紙した後、ドラム乾燥機を用いて乾燥させることにより、消臭体として得ることができる。
【００５９】
また、本実施形態の消臭体３６は、経時変化等による消臭力の低下等が生じた際に、消臭体の交換時期を、使用者の視覚に対して効果的に伝えるため、紫外線或いは化学物質等に曝された時間に応じて色調が変化する色素等によって着色された構成とすることができる。このような色素としては、光や空気中に含まれる化学物質（例えば、二酸化炭素や酸素等）と反応し、その色調を変化させるものであれば、特に限定されない。好ましくは、紫外線、及び／又は、二酸化炭素と反応して色調が変化する色素が挙げられ、紫外線に反応して色調が変化する色素を用いることが特に好ましい。
上述のような、二酸化炭素によって色調が変化する色素としては、例えば、タイムインジケータ（登録商標：理研香料工業株式会社）が挙げられる。また、紫外線によって色調が変化する色素としては、Ｋａｙａｃｙｌ  Ｐｕｒｅ  Ｂｌｕｅ ＦＧＡ（登録商標：日本化薬株式会社）が挙げられる。
【００６０】
本実施形態の芳香消臭用品３は、上記構成により、消臭体３６から前記消臭剤が空気中に揮散されるとともに、揮散体３４から光触媒用香料３２が空気中に揮散される。これにより、空気中の悪臭成分を除去することができるとともに、空気中への芳香処理を行うことが可能となる。
【００６１】
なお、本実施形態の芳香消臭用品は、第１及び第２の実施形態で説明した芳香消臭用品と同様、例えば、図５に示す例のような箱状や筒状等のカートリッジ状に構成し、筐体内に脱着可能に収容して使用することも可能である。
【００６２】
［第４の実施形態］
以下、本発明の芳香消臭用品の第４の実施形態について説明する。
本実施形態の芳香消臭用品４は、図４に示すように、紫外線領域の波長を有する光によって活性化される光触媒がアルミノ珪酸塩に担持された消臭剤が、紙、不織布、布、樹脂の群の内、少なくとも何れか１種以上を含む光触媒担持体に担持されてなる消臭体４６と、リモネン、リリアール、ヘキシルシンナミックアルデヒド、ヘディオン、ガラキソリッドからなる香料素材の群の内、少なくとも何れか１種以上を含む光触媒用香料が香料担持体に担持された光触媒用香料体４２が充填された容器４１とからなり、概略構成されている。
【００６３】
本実施形態の芳香消臭用品４は、上述したように、容器４１中に充填された光触媒用香料が香料担持体に担持された光触媒用香料体４２とされている点で、第３の実施形態の芳香消臭用品３１と異なる。
また、図４に示す芳香消臭用品４は、光触媒用香料体４２が充填された容器４１の上面４１ａに、スリット状の開口孔４１ｂが形成されているとともに、開口孔４１ｂを容器４１内部から覆うようにして不織布４３が張設されている点で、第２の実施形態の芳香消臭用品２と同様の構成を備えており、容器３１内に、前記消臭剤が光触媒担持体に担持されてなる消臭体４６が設けられている点で、第２の実施形態の芳香消臭用品２とは異なる。
【００６４】
消臭体４６は、図４に示す例では、容器４１内の上部（図４の上方）に設けられ、開口孔４１ｂに近接するようにして、図示略の固定手段によって容器４１内に固定されている。
また、消臭体４６は、上述したように、前記消臭剤が担持される担持体として、紙、不織布、布、樹脂の群の内、少なくとも何れか１種以上を含む光触媒担持体を用いることができる。
【００６５】
本実施形態では、上記光触媒用香料が担持される香料担持体しては特に限定されず、水性ゲル、及び／又は、油性ゲルからなる構成とすることができる。また、光触媒用香料が担持される香料担持体が、無機多孔質体、及び／又は、有機多孔質体からなる構成とすることもできる。
本実施形態の光触媒用香料体４２は、上述のように、光触媒用香料が担持される香料担持体が含有された構成なので、第３の実施形態の芳香消臭用品３に用いられる光触媒用香料３２が液状であるのに対し、図４に示す例では粒状となっている。
【００６６】
本実施形態の芳香消臭用品４は、上記構成により、容器４１に充填された粒状の光触媒用香料体４２から、開口孔４１ｂ及び不織布４３を通過して光触媒用香料の成分が容器４１外に揮散するとともに、容器４１内に設けられた消臭体４６から、開口孔４１ｂ及び不織布４３を通過して前記消臭剤の成分が容器４１外に揮散することにより、第３の実施形態の芳香消臭用品３と同様に、空気中に存在する悪臭成分を除去しながら、芳香処理を行うことができる。
そして、光触媒用香料体４２は、前記光触媒用香料の成分が揮散して含有量が減少するとともに、外径が縮小する。
【００６７】
なお、図４に示す例では、香料担持体が含有されてなる光触媒用香料体４２が粒状に構成されているが、第２の実施形態で説明する芳香消臭剤２２と同様、これには限定されず、例えば、直方形の固形剤として構成しても良い。
また、本実施形態では、容器４１に形成された開口孔４１ｂを内部から覆うようにして不織布４３が張設されているが、これについても第２の実施形態と同様に、不織布４３を省略した構成とすることもできる。この場合には、開口孔４１ｂを目の細かなスリット群として形成すれば、容器４１内に収容された光触媒用香料体４２及び消臭体４６に、使用者の手が触れるのを防止することができる。
【００６８】
また、本実施形態の芳香消臭用品は、第１の実施形態の芳香消臭用品と同様、例えば、図５に示す例のような箱状や筒状等のカートリッジ状に構成し、筐体内に脱着可能に収容して使用することも可能である。
【００６９】
［第５の実施形態］
以下、本発明の芳香消臭用品の第５の実施形態について説明する。
本実施形態の芳香消臭用品９は、図６に示す例のように、芳香消臭体９０に向けて送風するファン９１が備えられて概略構成され、図示例では、これら芳香消臭体９０及びファン９１が筐体９０に収容されているとともに、ファン９１が図示略の支持部によって筐体９２内に支持されている。
芳香消臭体９０としては、例えば、第１〜４の実施形態で説明したような芳香消臭用品をカートリッジ状に構成したもの等を用いることができる。
【００７０】
本実施形態の芳香消臭用品２は、上記構成により、ファン９１から送風される空気によって、光触媒が含有される消臭剤や光触媒用香料が空気中に効率良く揮散されるので、空気中に存在する悪臭成分を高効率で除去することができ、より高い消臭及び芳香効果が得られる。
【００７１】
本実施形態のファン９１は、電気的に作動する図示略のモータにプロペラ式のファンが取り付けられたものであり、芳香消臭体９０に向けて送風する。本実施形態では、芳香消臭体９０に備えられた消臭剤や光触媒用香料等の成分を強制的に空気中に揮散させ、悪臭成分に接触させることにより、例えば、室内等の自然対流のみで消臭及び芳香処理を行った場合に比べ、高効率で、より効果的に消臭及び芳香処理を行うことが可能となる。
【００７２】
ファン９１に用いられるモータとしては、家庭用交流電源、乾電池、太陽電池、自動車バッテリー等、何れか電源によって駆動可能なものであれば特に限定されない。
また、本実施形態のファン９１では、図示例ではプロペラ式のファンを用いているが、これには限定されず、例えば、シロッコファン等を用いることもできる。プロペラ式のファンは、単位電力当たりの風量が大きい点で好ましいが、芳香消臭用品の構造によっては送風の妨げ現象が生じ、これにより、ファンに対して外圧が発生する場合がある。このような場合には、外圧の影響を受け難いシロッコファンを用いることが好ましい。
【００７３】
また、本実施形態の芳香消臭用品９は、筐体９２内に、さらに図示略の発光ダイオードを設けた構成としても良い。発光ダイオードを用いて、前記揮散体もしくは前記消臭体に対し、例えば紫外線を含む光を照射することによって光触媒が活性化され、光触媒反応による消臭作用がより効率的に発現する。この際に用いる発光ダイオードとしては、例えば、発光波長が、短波長、具体的には４００ｎｍ以下の紫外線領域を含むものであることが好ましい。さらに具体的には、紫色ＬＥＤ、青色ＬＥＤ、紫外線ＬＥＤ等が挙げられ、紫外線発光量とコストとのバランスから、紫色ＬＥＤを用いることが特に好ましい。また、発光ダイオードの発光面には、紫外線を含む出射光の照射角度を調整するためのレンズ等が設けられた構成としても良い。
【００７４】
なお、図６に示す例では、筐体９２内に芳香消臭体９０及びファン９１が収容され、ファン９１が筐体９０内に支持された構成としているが、これには限定されず、例えば、ファンを小型に構成して芳香消臭体９０内に組み込んだ構成の芳香消臭用品とすることもできる。この場合には、図６に示すような筐体９２は設けられていなくてもよく、小型であるとともに、消臭及び芳香効果に優れた芳香消臭用品が得られる。
【００７５】
［第６の実施形態］
本発明の第６の実施形態の芳香消臭用品６は、図７に示すように、第１の実施形態で説明した芳香消臭剤１２がエアゾール容器６１に充填されてなり、概略構成される。
図７に示す例の芳香消臭用品６は、詳細な図示を省略するが、エアゾール容器６１が略円筒状に形成されており、容器本体６１ａの上部にバルブ６２が備えられてなる。
【００７６】
本実施形態の芳香消臭用品１は、芳香消臭剤１２が、噴射剤等とともにエアゾール容器６１に充填されており、バルブ６２を押下げることにより、エアゾール容器６１内に備えられるとともにバルブ６２と連通して設けられるディップチューブ６３を介して、芳香消臭剤１２がバルブ６２に設けられた噴出口６２ａから噴出される。
【００７７】
前記芳香消臭剤とともに、エアゾール容器６１内に充填される噴射剤としては、特に制限はなく、例えば  プロパン、ｎ−ブタン、イソブタン、イソペンタン、ジメチルエーテル、ＬＰＧ等が挙げられ、このなかでもＬＰＧ、ジメチルエーテル、イソペンタンを用いることが好ましい。また、これらの噴射剤の内の１種を単独か、又は２種以上を組み合わせて用いることができる。また、環境面及び安全面を考慮し、炭酸ガスや窒素ガス等を使用することもできる。
【００７８】
本実施形態の芳香消臭用品６によれば、上述したような本発明に係る芳香消臭剤がエアゾール容器６１に充填されてなるものなので、優れた消臭効果と高品質な芳香効果とを併せ持つとともに、簡便で安価な構成により、使い勝手の良いエアゾール型の芳香消臭用品６が得られる。
また、本実施形態の芳香消臭用品６は、上述の構成により、例えば、室内の空気を消臭する際に空気中に向けて噴射したり、消臭したい物品やペットに向けて噴射する等の形態で使用することができ、芳香消臭効果に優れるとともに、手軽に消臭処理を行うことが可能となる。
【００７９】
以上説明したように、本発明に係る芳香消臭用品によれば、上記構成により、使用者の嗜好性に合わせた高品質で安定した芳香作用を有し、また、高効率で光触媒反応による消臭処理を行うことが可能となる。これにより、優れた消臭効果と高品質な芳香効果とを併せ持つ芳香消臭用品が得られる。また、本発明に係る芳香消臭用品は、例えば、室内や冷蔵庫、靴箱等の消臭したい場所に設置することによって芳香処理を行うことができ、芳香消臭効果に優れるとともに、手軽に消臭処理を行うことが可能となる。
【００８０】
本発明に係る芳香消臭用品は、例えば、生ごみ臭や動物臭等、一般的に室内に存在する如何なる悪臭成分に対しても消臭効果を発揮できるが、特に、ペットから発生する動物臭に対して、優れた消臭効果を発揮することができるとともに、上述した本発明の作用により、使用者が高い消臭効果感を得ることが可能になる。
【実施例】
【００８１】
以下に、本発明の芳香消臭剤及び芳香消臭用品を実証するための実施例について説明するが、本発明は本実施例によって限定されるものではない。
【００８２】
［実験例１］
本例では、以下に説明するような装置及び方法により、本発明の芳香消臭用品で用いられる光触媒用香料をなす香料素材の、香質の変化について評価した。
【００８３】
（消臭体の作製）
まず、消臭体として、光触媒に酸化チタン粒子を用い、この酸化チタン粒子が多孔質のケイ酸塩に担持された光触媒複合基剤（酸化チタン／多孔質ケイ酸塩複合品：ライオン株式会社製；ライオナイトＰＣ−３０１Ｐ）５ｇを、プリンタペーパー（キャノン製；ＥＮ−５００：白色度約７０％）１１１部、及び水２０００部を離解機（熊谷理機工業株式会社製；パルプ離解機）に入れ、３０００ｒｐｍにて約１５分間運転して得られた解裁パルプ４０．２ｇ、及び水５００ｇと混合し、超音波洗浄器（株式会社エスエヌデイ製ＵＳ−３）で振動を１０分問加えて均一に分散させた後、抄紙機（熊谷理機工業株式会社製ＴＡＰＰＩ標準消臭抄紙機）にて直径１６ｃｍの円形に抄紙し、これを室温下で１日乾燥させて得られた光触媒担持紙を、一辺５ｃｍの正方形に裁断したものを用いた。
【００８４】
（評価方法）
まず、図８に示すような容量１．８Ｌのガラス瓶を用意し、このガラス瓶のキャップの中央部、及び中央部から周辺部に至る中間部に直径４ｍｍの穴を開け、中央部に開けた穴には紫色ＬＥＤ（ＳＡＮＤＥＲ製  ＳＤＬ−５Ｎ３ＣＵＶ−Ａ  φ５ｍｍ）と接続した電気コードを通し、中央部から周辺部に至る中問部に開けた穴には光触媒用香料添加用パッキン（ジーエルサイエンス製「島津注入口パッキン標準型」）を取り付けた。さらに、電気コードに接続された紫色ＬＥＤの発光面と消臭体の表面との間の距離を４０ｍｍとして、ガラス瓶内に固定用ワイヤを用いて設置し、電気コードとキャップとの隙間を、シリコーンポリマー充てん材（コニシ株式会社製バスボンド水まわり用）を用いて塞ぎ、さらに、キャップとガラス瓶との隙聞を、ビニルテープ（幅１９ｍｍ）を用いて塞いだ。そして、前記電気コードと４７Ω固定抵抗、及び電池ボックス（単３アルカリ乾電池３本を直列接続で内蔵）に接続し、消臭体評価用装置を得た。
【００８５】
評価にあたっては、上記消臭体評価用装置を用い、下記表１に示すような香料素材をマイクロシリンジにて１００μＬ採取し、前記光触媒用香料添加用パッキンを通じてガラス瓶内に注入した。なお、香料素材が粉末、或いは高粘度のものである場合は、ベンジルベンゾエート、又はジプロピレングリコールで希釈して使用した。そして、１０分間放置した後、前記電池ボックスのスイッチを入れてＬＥＤに通電し、７時間経過後、ガラス瓶内の香質を官能評価することにより、香質の変化について判定した。
また、これとは別に、上述のような消臭体評価装置から消臭体を除いた条件とされた装置も用意し、同様に測定を行った。
【００８６】
そして、評価パネラーは、専門評価パネルの男性５名、及び女性４名の計９名とし、以下に示す評価基準で香質変化の評点を判定した。また、本例では、消臭体にＬＥＤ出射光を照射した後の香質変化評価において、平均値が４点以上のものを、香質変化が少なく常時一定の香質を保持できるものと判断した。
（１）評点５：ＬＥＤ照射前と同等の香質を有している。
（２）評点４：ＬＥＤ照射前と比べ、僅かに香質変化が認められる。
（３）評点３：ＬＥＤ照射前と比べ、やや香質変化が認められる。
（４）評点２：ＬＥＤ照射前と比べ、かなり香質変化が認められる。
（５）評点１：ＬＥＤ照射前と比べ、明らかに香質変化が認められる。
【００８７】
上述のようにして評価した各香料素材、及び評価結果の一覧を表１に示す。
【００８８】
【表１】
2008086641.tif 000005
【００８９】
（評価結果）
表１に示すように、本発明に係る芳香消臭用品において光触媒用香料に用いられる、リモネン、リリアール、ヘキシルシンナミックアルデヒド、ヘディオン、ガラキソリッドの各香料素材は、ＬＥＤ出射光を消臭体に照射して光触媒を活性化させ、消臭作用を発現させて運転した後の、香質変化の評点の平均値が４点以上であり、その他の香料素材に比べて香質変化が非常に小さいことがわかる。
これにより、本発明の芳香消臭用品に用いられる香料素材が、光触媒を含有する消臭剤と併用した場合であっても、香質変化が小さく、常時一定の香質を保持することが可能であることが明らかである。
【００９０】
［実験例２］
本例では、表１に示す香料素材を、下記表２に示す組み合わせで混合した点を除き、実験例１と同様にして、本発明の芳香消臭用品で用いられる光触媒用香料をなす香料素材の、香質の変化について評価した。
【００９１】
（香料素材の混合調整）
まず、本発明に係る芳香消臭用品において光触媒用香料に用いられる、リモネン、リリアール、ヘキシルシンナミックアルデヒド、ヘディオン、ガラキソリッドの各香料素材と、その他の香料素材とを、下記表２に示す混合比で混合調整し、実施例１〜５の光触媒用香料を得た。また、上述した本発明の光触媒用香料に用いられる香料以外の香料素材を、下記表２に示す混合比で混合調整し、比較例１〜３の香料組成物を得た。
【００９２】
【表２】
2008086641.tif 000006
【００９３】
なお、混合調整する香料素材が粉末、或いは高粘度のものである場合には、ベンジルベンゾエート又はジプロピレングリコールで希釈して使用した。
【００９４】
（評価方法）
実験例１で作製した消臭体評価装置と同様の装置を用い、また、実験例１と同じ評価パネラー（専門評価パネル：男性５名、及び女性４名の計９名）、及び同様の評価基準により、香質変化の評点を判定した。
【００９５】
また、本例では、上記香質変化評価と同じ評価パネラーにより、以下の評価基準によって、香りの嗜好性について○×表記で判定した。なお、本例では、香りの嗜好性の評価が○以上の例について、芳香剤として求められる嗜好性の高い香りを有しているものと判断した。
（１）◎：評価パネル中７名以上が、芳香剤として求められる嗜好性の高い香りと判断した。
（２）○：評価パネル中５名以上７名未満が、芳香剤芳香剤として求められる嗜好性の高い香りと判断した。
（３）△：評価パネル中３名以上５名未満が、芳香剤として求められる嗜好性の高い香りと判断した。
（４）×：評価パネル中７名以上が、芳香剤として求められる嗜好性の高い香りを有していないと判断した。
【００９６】
実験例２における、各実施例（実施例１〜５）、及び各比較例（比較例１〜３）の評価結果の一覧を表３に示す。
【００９７】
【表３】
2008086641.tif 000007
【００９８】
（評価結果）
表２及び表３に示すように、本発明に係る芳香消臭用品において光触媒用香料に用いられる、リモネン、リリアール、ヘキシルシンナミックアルデヒド、ヘディオン、ガラキソリッドの各香料素材が用いられた実施例１〜５においては、ＬＥＤ出射光を消臭体に照射して光触媒を活性化させ、消臭作用を発現させて運転した後の、香質変化の評点の平均値が何れも４点以上であり、香質変化が非常に小さく、常時一定の香質を保持できることが確認できた。また、香りの嗜好性の評価については、何れも◎、もしくは○の評価であり、芳香剤として求められる嗜好性の高い香りを有していることが確認できた。
【００９９】
これに対し、本発明の光触媒用香料に用いられる上記素材以外の香料素材を用いて評価した比較例１〜３では、ＬＥＤ出射光を消臭体に照射して光触媒を活性化させ、消臭作用を発現させて運転した後の、香質変化の評点の平均値が何れも４点未満であり、香質変化が大きく、常時一定の香質を保持することが困難であることが確認された。また、香りの嗜好性の評価については、何れも×、もしくは△の評価であり、芳香剤として求められる嗜好性が劣っていることが確認された。
【０１００】
以上の結果により、本発明の芳香消臭用品が、使用者の嗜好性に合わせた高品質で安定した芳香作用を有し、また、高効率で光触媒反応による消臭処理を行うことができることが明らかである。
【図面の簡単な説明】
【０１０１】
【図１】本発明に係る芳香消臭用品の一例を模式的に説明する概略図であり、外観及び内部構造を示す部分破断図である。
【図２】本発明に係る芳香消臭用品の他例を模式的に説明する概略図であり、外観及び内部構造を示す部分破断図である。
【図３】本発明に係る芳香消臭用品の他例を模式的に説明する概略図であり、外観及び内部構造を示す部分破断図である。
【図４】本発明に係る芳香消臭用品の他例を模式的に説明する概略図であり、外観及び内部構造を示す部分破断図である。
【図５】本発明に係る芳香消臭用品の他例を模式的に説明する概略図であり、芳香消臭用品を筐体内に収納する形態を示す図である。
【図６】本発明に係る芳香消臭用品の他例を模式的に説明する概略図であり、ファンが備えられた芳香消臭用品を示す図である。
【図７】本発明に係る芳香消臭用品の他例を模式的に説明する概略図であり、芳香消臭剤がエアゾール容器に充填された芳香消臭用品を示す図である。
【図８】本発明に係る芳香消臭用品の実施例を説明する概略図であり、消臭体評価用装置を示す図である。
【符号の説明】
【０１０２】
１、２、３、４、５、６、９…芳香消臭用品、１１、２１、３１、４１…容器、１２…芳香消臭剤、１３、３３…芯体、１４、３４…揮散体、２３、４３…不織布、３６、４６…消臭体、３２…光触媒用香料、４２…光触媒用香料体、９１…ファン
【図１】
2008086641.tif 000008
【図２】
2008086641.tif 000009
【図３】
2008086641.tif 000010
【図４】
2008086641.tif 000011
【図５】
2008086641.tif 000012
【図６】
2008086641.tif 000013
【図７】
2008086641.tif 000014
【図８】
2008086641.tif 000015